(57)【特許請求の範囲】
【請求項１】
乳剤の形態であるフィルム形成ポリマー約15乃至40重量％、並びに変色硫黄化合物及び水を有するインク消し液（100重量％）と、変色硫黄化合物によって変色できる染料からなるインクとを有する、インク消し装置。
【請求項２】
フィルム形成ポリマーは、アクリルポリマーである請求項１記載のインク消し装置。
【請求項３】
アクリルポリマーは、ポリメタクリレート、ポリアクリレート、及びその混合物または共重合体から選択される、請求項２記載のインク消し装置。
【請求項４】
アクリルポリマーは、ブチラクリレート／メチルメタクリレートの混合体または共重合体である、請求項３記載のインク消し装置。
【請求項５】
インク消し液は、約0.5乃至4.0重量％の変色硫黄化合物と、約15乃至40重量％のフィルム形成ポリマーと、約55乃至95重量％の水とを有する、請求項１記載のインク消し装置。
【請求項６】
変色硫黄化合物は、亜硫酸塩である、請求項１記載のインク消し装置。
【請求項７】
前記着色剤は、染料である、請求項１記載のインク消し装置。
【請求項８】
前記着色剤は、無色に変色される、請求項１記載のインク消し装置。
【発明の詳細な説明】
本発明は、インキ消し装置に関する。
インクの染料成分を無色に変える変色剤を有するインク消し液は、インクで書いたものを修正するために、例えばグラフィック業界でよく使用される。使用される変色剤は、例えば、変色硫黄化合物、例えば、亜硫酸塩である。これらの液体は、インク消し液で消した後、そのインク消し液の上に書かれたものがインク消しの存在によって消えてしまうという欠点がある。
この問題を解くために多数の解決法が提案された。例えば、ある場合には、インク消し液の上に第２の異なるインクを使用する。インク消しの中の亜硫酸塩の割合を変えることも提案された。
ヨーロッパ特許出願第0032652号は、亜硫酸塩変色剤を基本的な窒素化合物と置換したインク消しを示している。米国特許第5,006,171号に示すように、インク消し液は、典型的には高アルカリ性であり、これは、重ねて書いたときに、紙が浮き上がるような損傷を紙に与える。
一般に、本発明は、変色硫黄化合物と、フイルム形成ポリマーと、水とを有するインク消し液を有するインク消し装置を特徴とする。また、この装置は、変色硫黄化合物によって無色に変色される着色剤を含むインクを有する。本発明のインク消し液は、変色可能な着色剤を有するインクで書かれたたものを容易に消し、インク消しを適用した直後（例えば、20秒以内）にインク消し液の上にものを書くことができるようにする。また、例えば、使用者が、消しゴムと同様な方法で消去器具を使用して、書いたものを何回も消すことによって、過剰なインク消し液を適用したときでさえも、そのインク消し液が書かれたものを消すことなく、消されたものと同じ、従来の最も普及したインクを使用して書くことができる。
本発明のインク消し液は、変色硫黄化合物と、フィルム形成ポリマーと、水とを有する。
１つの観点において、インク消し液は、変色硫黄化合物と、少なくとも８重量％、好ましくは、少なくとも約15重量％のフィルム形成ポリマーと、水とを有する。
好ましい実施例において、フィルム形成ポリマーは、アクリルポリマーであり、乳剤の形態である。好ましくは、アクリルポリマーは、ポリメタクリレート、ポリメタクリレート及びその混合物である。特に好ましいポリマーは、HOPLEXAC261であり、ローム＆ハス社から市販されている乳剤の形態のビチラクリレート及びメチルメタクリレートコポリマーの混合物である。使用される他のポリマーは、スチレン−マレイン酸無水物コポリマーの水溶性塩及び水溶性アクリル樹脂である。
好ましいインク消しは、0.5乃至4.0重量％の変色硫黄化合物、約５乃至40重量％の（固体ベースの）フィルム形成ポリマー、及び約55乃至95重量％の水を含む。他の観点において、本発明は、端部に先端部を有するペンと、一対の貯蔵室とを有する筆記・修正用ペンに関する。各貯蔵室は各先端部からペンの中心部に向かっている。１つの貯蔵室は、本発明のインク消し液を有し、他の貯蔵室はインク消し液によって消すことのできる染料を含むインクを有する。
他の観点において、本発明は複数のペンを有するペン装置を有し、他のペンは本発明の１つまたはそれ以上のインクを有することを特徴とする。
もし１つ以上のインクを有するペンを提供するならば、ペンは、異なる色のインクを有することが好ましい。好ましくは、ペンはボールペンである。１つの好ましい実施例において、各ボールペンは、貯蔵室に連通する液体用の環状部材、部材の一端にシートを有するソケット、シートから伸びる内壁面、シートに対向する内壁面の端部に配置されたリム、シートに回転可能に係合し、リムによって捕捉されるソケットに配置された球形のボールを有する。
本発明の他の特徴及び利点は、この詳細な説明及び請求の範囲から明らかになるであろう。
好ましい実施例は、変色硫黄化合物を含むインク消し液と、少なくとも15重量％のフィルム形成ポリマーと、水と、変色化合物によって無色の形態に変色することができる染料を含むインクとを有する。
好ましい変色硫黄化合物は、亜硫酸塩、例えば亜硫酸ナトリウムを含む。その場合、インク消し液が少なくとも約0.5重量％乃至約４重量％の変色硫黄化合物を有することが好ましい。変色硫黄化合物が少ないと、インクの染料を有効に変色させず、一方多過ぎると液体（インク消し液）が早くゲル化して溶解するのが困難になる。液体が、約１乃至３重量％の変色硫黄化合物を含むことがさらに好ましい。最も好ましいのは約２重量％である。亜硫酸塩は、多数の供給源があり、例えば、イースタンケミカル社から写真グレードの亜硫酸ナトリウムを得ることができる。変色硫黄化合物が好ましいが、ベースが窒素化合物、リン酸塩、炭酸ナトリウムのような他の変色剤も使用することができる。
適当なフィルム形成ポリマーは、迅速に乾燥し、インク消し液が薄いフィルムを形成するように適用されるとき、べとつかず水が染み込まないフィルムを形成する。このようなポリマーは、典型的にはアクリルポリマーでありさらに好ましくは、ポリメタクリレート及びポリアクリレートである。好ましいポリアクリレートは、ローム＆ハス社から市販されているPHOPLEXアクリレートポリマー乳剤であり、特に好ましいポリマーは、PHOPLEXAC261である。使用される他のポリマーは、スチレン−マレイン酸無水物共重合体の水溶性塩、例えば、ATOCHEMから市販されているSMA樹脂である。また、S.C.ジョンソンから市販されている水溶性アクリル樹脂がある。好ましくは、ポリマーは、ポリマーを液体に溶けやすくするために、乳剤の形態であるか、または水溶性塩である。インク消し液は、少なくとも約15重量％及び約40重量％以下のポリマーを含むことが好ましい。ポリマーが少ないと、インク消し液上に形成されるマーキングが薄くなるか、消える傾向があるが、（約40重量％以上の）高水準では、液体が、固まるか、非常に厚くなる。さらに好ましくは、約20重量％及び約30重量％以下のポリマーを含む。好ましくは、インク消し液は約１から10cpsの粘度を提供するために十分な水を含む。インク消し液は、典型的には、約55乃至95重量％、さらに好ましくは、65乃至85重量％の水を含む。
インク消し液は、殺菌剤及びバッファのような他の成分をも含む。
インク消し液は中間のせん断の条件の下で成分類を混合することによって準備することができる。変色硫黄化合物の一部または全部を水に溶かし、次に追加成分、例えば殺菌剤をその溶液に加え、最後に乳剤を加えることが好ましい。
適当なインクは選択された変色硫黄化合物によって無色に変色される、すなわち、変色硫黄化合物には、例えばトリアリルメタン染料剤によって変色することができる染料を含む。インクを連続して消すことができる染料と変色硫黄化合物の組み合わせは、当業者によって容易に決定することができる。好ましいインクは、ドクメンタル社から商品名ドクメンタルR080の下に市販されている溶剤ベースのボールペンインクを含む。
好ましいインク及びインク消し液は、標準的なボールペン、例えば、貯蔵室（繊維または中空の貯蔵室）に連通する液体用の環状部材、部材の一端にシートを有するソケット、シートから伸びる内壁面、シートに対向する内壁面の端部に配置されたリム、シートに回転可能に係合し、リムによって捕捉されるソケットに配置された球形のボールを有する。
好ましくは、インクは、上述したように従来のボールペンに供給されるが、インク消し液は従来の毛管送りマーカーに供給され、このマーカーは、ポリエステル繊維でつくられた貯蔵室に接続されたポロオレフィン繊維先端部（またはニブ）を有する。他のタイプのニブ、例えばアクリル繊維を使用することもできる。
１つの実施例において、インク及びインク消し液は、複数のペンに供給される。所望ならば、各々が異なる色のインクを含む、複数のインクを含むペンが設けられる。
他の実施例において、インク及びインク消し液は、各々に貯蔵室を有する一本のペンに供給される。各貯蔵室は、中空か繊維貯蔵室である。２つの貯蔵室は、環状部材、例えば、ポリプロピレンバレルによって包囲されている。もしペンがマーカーであるならば、対向端にニブを有し、各ニブは、キャップによってカバーされている。別の案として、もしそれがボールペンであれば、上述したように当業者がよく知っているようなボール及びソケット構造を有する。所望ならば、ペンは、一端がインク消し液を含むマーカーであり、他端がインクを含むボールペンである。貯蔵室は、例えば、アメリカのアメリカンフィルトロナ社またはドイツのボウムガートナー社から市販されている。ニブは、日本のオーベクス社、またはテイボウまたはポレックス社から市販されている。
次の例は、本発明を表すものである。
例
亜硫酸ナトリウム２部、トリエタノラミン（安定剤及びpH調整剤）３部、２クロロアセタミド（防腐剤）0.1部、RHOPLEXAC261（水中のアクリルポリマーの50重量％の固体乳剤）50部及び非イオン化水50部を混合することによって準備される。この液体は、DOKUMENTALR080ボールペンインクで書かれた乾燥したマークに適用された。このマークは約１秒で消えた。マークが消えた約10秒後に、インク消し液の上に同じインクで新しい正しいマークが書かれた。このマークは消えなかった。
他の実施例は請求の範囲に記載されている。